(57)【要約】【課題】フィルムハウスのフィルムを、内外二重の空気層形成フィルムで気密な空気層空間を形成した袋構造の構成とし、電動ファンで空気層空間へ空気を吹き込み膨張させて、一定層厚の断熱空気層を形成すること、及び換気或いは温度調節の目的で空気層形成フィルムの巻き上げ又は巻き下ろすことが可能に構成したフィルムハウスを提供する。【解決手段】ハウス骨組材１４に、二つのシート止め溝５１、５２を連結部５０の両側に形成したダブル型シート止め材５が、棟方向に固定して設置されている。内周側の空気層形成フィルム３は、上方の固定端３ａが、ダブル型シート止め材５の下方側シート止め溝５１へ止着され、外周側の空気層形成フィルム４は、その上方部が上方側シート止め溝５２へ止着されている。ハウスバンド７で外周側の空気層形成フィルム４が拘束され、該外周側の空気層形成フィルム４で連結部５の排気用孔５０ａ…が上面側から塞がれている。【選択図】図３
2016171751.tif 000002
【特許請求の範囲】
【請求項１】
ハウス骨組材の外周部を被覆する内周側及び外周側の空気層形成フィルムは、その両側縁部が上下方向に止着され、更に下方の自由端側が共通な巻き軸に巻き込まれて気密な空気層空間を有する袋構造に形成されており、
前記ハウス骨組材に、横断面が蟻溝状をなす二つのシート止め溝を連結部の両側に形成したダブル型シート止め材が棟方向に固定して設置され、
前記内周側の空気層形成フィルムは、上方の固定端が、前記ダブル型シート止め材の下方側シート止め溝へ止着され、
前記外周側の空気層形成フィルムは、その上方部が前記下方側シート止め溝よりも連結部を隔てた上方側シート止め溝へ止着されており、
前記ダブル型シート止め材の連結部には、複数の排気用孔が設けられており、
前記内周側又は外周側の空気層形成フィルムいずれかの部位に、外気を気密な袋構造の空気層空間内へ供給する電動ファンが設置されており、
更に、適度な緊張状態で設置されたハウスバンドで前記外周側の空気層形成フィルムが拘束され、該外周側の空気層形成フィルムで前記連結部の排気用孔が上面側から塞がれており、
前記巻き軸を回転して内外の空気層形成フィルムを展開する場合、又は展開した後に前記電動ファンにより給気を行って空気層空間へ空気を吹き込み膨張させて断熱空気層が形成され、
前記断熱空気層に一定層厚を超過する過剰な空気が吹き込まれた際に、或いは前記巻き軸を逆に回転して内外の空気層形成フィルムを巻き取る際には、空気圧力を利用して前記ハウスバンドで拘束された外周側の空気層形成フィルムを押し退けて、前記連結部の排気用孔を開放させ、同排気用孔から断熱空気層内の空気を排気させる構成であることを特徴とする、フィルムハウス。
【請求項２】
前記ダブル型シート止め材の連結部には、同連結部の排気用孔５０ａ…を塞ぐ逆止弁８が設けられており、
前記断熱空気層に一定層厚を超過する過剰な空気が吹き込まれた際に、或いは前記巻き軸を逆に回転して内外の空気層形成フィルムを巻き取る際には、空気圧力を利用して前記逆止弁の閉鎖状態を解除させて、前記連結部の排気用孔を開放させ、同排気用孔から断熱空気層内の空気を排気させる構成であることを特徴とする、請求項１に記載したフィルムハウス。
【請求項３】
ハウス骨組材の外周部を被覆する内周側及び外周側の空気層形成フィルムは、その両側縁部が上下方向に止着され、更に下方の自由端側が共通な巻き軸に巻き込まれて気密な空気層空間を有する袋構造に形成されており、
前記ハウス骨組材に、横断面が蟻溝状をなす二つのシート止め溝を連結部の両側に形成したダブル型シート止め材が棟方向に固定して設置され、
前記内周側の空気層形成フィルムは、上方の固定端が、前記ダブル型シート止め材の下方側シート止め溝へ止着され、
前記外周側の空気層形成フィルムは、その上方部が前記下方側シート止め溝よりも連結部を隔てた上方側シート止め溝へ止着されており、
前記ダブル型シート止め材の連結部には、複数の排気用孔が設けられており、
前記内周側又は外周側の空気層形成フィルムいずれかの部位に、外気を気密な袋構造の空気層空間内へ供給する電動ファンが設置されており、
更に、前記ダブル型シート止め材の連結部には、同連結部の排気用孔を塞ぐ逆止弁が設けられており、
前記巻き軸を回転して内外の空気層形成フィルムを展開する場合、又は展開した後に前記電動ファンにより給気を行って空気層空間へ空気を吹き込み膨張させて断熱空気層が形成され、
前記断熱空気層に一定層厚を超過する過剰な空気が吹き込まれた際に、或いは前記巻き軸を逆に回転して内外の空気層形成フィルムを巻き取る際には、空気圧力を利用して前記逆止弁の閉鎖状態を解除させて、前記連結部の排気用孔を開放させ、同排気用孔から断熱空気層内の空気を排気させる構成であることを特徴とする、フィルムハウス。
【請求項４】
気密な空気層空間を形成する内周側及び外周側の空気層形成フィルムは、フィルムハウスの換気用開口部を開閉するフィルム、又はフィルムハウスの室内の天井部分若しくは側面に沿って設置されたカーテンとして構成されていることを特徴とする、請求項１〜３のいずれか一に記載したフィルムハウス。
【発明の詳細な説明】
【技術分野】
【０００１】
この発明は、ビニールシート等のフィルムでハウス骨組材の外周部を被覆密閉された簡易構造の温室（以下、フィルムハウスと云う。）であって、同フィルムハウスの側面や妻面或いは谷部などを覆うフィルムを、内外二重の空気層形成フィルムで気密な空気層空間を形成した袋構造の構成とし、小型の電動ファンで前記空気層空間へ空気を吹き込み膨張させて、一定層厚の断熱空気層を形成すること、及び換気或いは温度調節の目的で前記空気層形成フィルムの巻き上げ又は巻き下ろすことが可能に構成したフィルムハウスの技術分野に属する。
【背景技術】
【０００２】
従来のフィルムハウスは、換気或いは温度調整の目的で、巻き軸により被覆フィルムを巻き上げ又は巻き下ろす方式の換気システムが実施されている。また、カーテンとしてハウス室内に垂らしたフィルムを、やはり巻き軸により巻き上げ又は巻き下ろす方式のカーテンシステムが既に実施されており、それぞれ期待した機能および効果を発揮している。
更に最近では、上記構成の換気システム又はカーテンシステムのフィルムを、気密な袋状構造に構成し、同袋内へ空気を吹き込み膨張させて断熱・保温効果の高い空気層形成型のフィルムハウスも開発され、例えば下記特許文献１及び２に開示されて既に実用に供されている。
【０００３】
下記特許文献１に開示された空気層形成フィルムの空気給・排気システムは、一例を図１０に示すように、ハウス骨組材１４の外郭部（外面）を被覆する内周側及び外周側の空気層形成フィルム３、４の各々の自由端が、共通な巻き軸１５に巻き込まれている。内周側の空気層形成フィルム３の固定端３ａは、排気口部Ｂの手前側位置にハウス骨組材１４へ固定して設置したシート止め材３０へシート止め線材３０ａにより止着されている。外周側の空気層形成フィルム４の固定端４ａは、前記排気口部Ｂたる隙間を上方側へ跨いだ位置にハウス骨組材１４へ固定して設置したシート止め材４０へシート止め線材４０ａにより止着されている。
内周側の空気層形成フィルム３は、前記排気口部Ｂと隣接して手前側に位置するシート止め材３０へシート止め線材３０ａにより給気用チューブ９と合一に固定されている。前記給気用チューブ９は、内外の空気層形成フィルム３、４の隙間を塞ぐ膨張径を有する合成樹脂製である。この給気用チューブ９は、排気口部Ｂの長手方向（棟方向）に沿って全長にわたり設置されている。前記給気用チューブ９に、内外の空気層形成フィルム３、４が形成する空気層空間Ａに向かって連通する給気孔９ａ…が全長にわたり、必要数だけ、適正な配置で設けられている。
巻き軸１５を回転して内外の空気層形成フィルム３、４を展開すると同時に、又は展開しきった後に電動ファン６により給気を行うと、給気用チューブ９を通じて空気層空間Ａへ空気が吹き込まれ、内外の空気層形成フィルム３、４により密閉状態に形成した断熱空気層Ａを膨張させる。一方、電動ファン６を停止させ、巻き軸１５を逆に回転して内外の空気層形成フィルム３、４を巻き取ると、排気口部Ｂから排気しつつ給気用チューブ９が萎みつつ巻き取られ、ハウス骨組材１４の下部は開放状態となる。
【０００４】
下記特許文献２に開示された空気層形成フィルムの空気給・排気システムも基本的な構成、作用は、上述した特許文献１と略同じだが、一定層厚を超過する過剰空気は、空気圧力を利用した自助作用で自ら排気口を形成し、内外の空気層形成フィルム３、４が一定層厚を保ち、電動ファンを運転制御する必要がない点に特徴を有する。
【先行技術文献】
【特許文献】
【０００５】
【特許文献１】特許第５５５０９８２号公報
【特許文献２】特開２０１２−７５４０５号公報
【発明の概要】
【発明が解決しようとする課題】
【０００６】
上記の特許文献１、２に開示された空気層形成フィルムの空気給・排気システムは、排気口の開閉操作の必要がなく、巻き軸によるフィルムの巻き取り速度に負けない早さで、断熱空気層内の空気を一気に排気させることができるが、内外の空気層形成フィルムの隙間を塞ぐ給気用チューブ９を棟方向に設置する構成であり、設置作業の手間や設備費用が嵩むので、更に簡易で安価なフィルムハウスの開発が望まれている。
【０００７】
よって、本発明の目的は、屋根から側面部、及び妻面や谷部をそれぞれ、内外二重の空気層形成フィルムにより気密な空気層空間に形成し、小型の電動ファンで前記空気層空間へ空気を吹き込んで膨張させ一定層厚の断熱空気層を形成する構成であって、前記断熱空気層が一定層厚を超過する過剰な空気の供給は自動的に排気する自己調整が行われるほか、巻き軸によりフィルムを巻き取る際には、断熱空気層内の空気を一気に排出することができる迅速性と簡便で安価な構成の空気層形成フィルムの空気給・排気システムを備えたフィルムハウスを提供することである。
【課題を解決するための手段】
【０００８】
上記の課題を解決するための手段として、請求項１に記載した発明に係るフィルムハウスは、
ハウス骨組材１４の外周部を被覆する内周側及び外周側の空気層形成フィルム３、４が、その両側縁部を上下方向に止着され、更に下方の自由端側が共通な巻き軸１５に巻き込まれて気密な空気層空間Ａを有する袋構造に形成されており、
前記ハウス骨組材１４に、横断面が蟻溝状をなす二つのシート止め溝５１、５２を連結部５０の両側に形成したダブル型シート止め材５が、棟方向に固定して設置され、
前記内周側の空気層形成フィルム３は、上方の固定端３ａが、前記ダブル型シート止め材５の下方側シート止め溝５１へ止着され、前記外周側の空気層形成フィルム４は、その上方部が前記下方側シート止め溝５１よりも連結部５０を隔てた上方側シート止め溝５２へ止着されており、
前記ダブル型シート止め材５の連結部５０には、複数の排気用孔５０ａ…が設けられており、
前記内周側又は外周側の空気層形成フィルム３又は４いずれかの部位に、外気を気密な袋構造の空気層空間Ａ内へ供給する電動ファン６が設置されており、
更に、適度な緊張状態で設置されたハウスバンド７で前記外周側の空気層形成フィルム４が拘束され、該外周側の空気層形成フィルム４で前記連結部５の排気用孔５０ａ…が上面側から塞がれており、
前記巻き軸１５を回転して内外の空気層形成フィルム３、４を展開する場合、又は展開した後に前記電動ファン６により給気を行って空気層空間Ａへ空気を吹き込み膨張させて断熱空気層Ａが形成され、
前記断熱空気層Ａに一定層厚を超過する過剰な空気が吹き込まれた際に、或いは前記巻き軸１５を逆に回転して内外の空気層形成フィルム３、４を巻き取る際には、空気圧力を利用して前記ハウスバンド７で拘束された外周側の空気層形成フィルム４を押し退けて、前記連結部５０の排気用孔５０ａ…を開放させ、同排気用孔５０ａ…から断熱空気層Ａ内の空気を排気させる構成であることを特徴とする。
【０００９】
請求項２に記載した発明は、請求項１に記載したフィルムハウスにおいて、
前記ダブル型シート止め材５の連結部５０には、同連結部５０の排気用孔５０ａ…を塞ぐ逆止弁８が設けられており、
前記断熱空気層Ａに一定層厚を超過する過剰な空気が吹き込まれた際に、或いは前記巻き軸１５を逆に回転して内外の空気層形成フィルム３、４を巻き取る際には、空気圧力を利用して前記逆止弁８の閉鎖状態を解除させて、前記連結部５０の排気用孔５０ａ…を開放させ、同排気用孔５０ａ…から断熱空気層Ａ内の空気を排気させる構成であることを特徴とする。
【００１０】
請求項３に記載した発明に係るフィルムハウスは、
ハウス骨組材１４の外周部を被覆する内周側及び外周側の空気層形成フィルム３、４が、その両側縁部を上下方向に止着され、更に下方の自由端側が共通な巻き軸１５に巻き込まれて気密な空気層空間Ａを有する袋構造に形成されており、
前記ハウス骨組材１４に、横断面が蟻溝状をなす二つのシート止め溝５１、５２を連結部５０の両側に形成したダブル型シート止め材５が、棟方向に固定して設置され、
前記内周側の空気層形成フィルム３は、上方の固定端３ａが、前記ダブル型シート止め材５の下方側シート止め溝５１へ止着され、前記外周側の空気層形成フィルム４は、その上方部が前記下方側シート止め溝５１よりも連結部５０を隔てた上方側シート止め溝５２へ止着されており、
前記ダブル型シート止め材５の連結部５０には、複数の排気用孔５０ａ…が設けられており、
前記内周側又は外周側の空気層形成フィルム３又は４いずれかの部位に、外気を気密な袋構造の空気層空間Ａ内へ供給する電動ファン６が設置されており、
更に、前記ダブル型シート止め材５の連結部５０には、同連結部５０の排気用孔５０ａ…を塞ぐ逆止弁８が設けられており、
前記断熱空気層Ａに一定層厚を超過する過剰な空気が吹き込まれた際に、或いは前記巻き軸１５を逆に回転して内外の空気層形成フィルム３、４を巻き取る際には、空気圧力を利用して前記逆止弁８の閉鎖状態を解除させて、前記連結部５０の排気用孔５０ａ…を開放させ、同排気用孔５０ａ…から断熱空気層Ａ内の空気を排気させる構成であることを特徴とする。
【００１１】
請求項４に記載した発明は、請求項１〜３のいずれか一に記載したフィルムハウスにおいて、
気密な空気層空間Ａを形成する内周側及び外周側の空気層形成フィルム３、４は、フィルムハウス１の換気用開口部１８を開閉するフィルム、又はフィルムハウスの室内の天井部分若しくは側面に沿って設置されたカーテンとして構成されていることを特徴とする。
【発明の効果】
【００１２】
本発明に係るフィルムハウスによれば、巻き軸１５を回転して内外の空気層形成フィルム３、４を展開するとき、又は展開した後に、空気層空間Ａへ電動ファン６により空気を吹き込み膨張させて断熱空気層Ａを形成することができる。
前記断熱空気層Ａの一定層厚を超過する過剰な空気の供給は、空気圧力を利用してハウスバンド７に締め付けられた外周側の空気層形成フィルム４を押し退け、或いは逆止弁８の閉鎖状態を自ら解除し、ダブル型シート止め材５の連結部５０に設けた複数の排気用孔５０ａ…を開放することで、同排気用孔５０ａ…から自動的に排気することができるので、前記断熱空気層Ａは一定層厚を保つことができる。このとき、排気口の開閉操作を行う必要がないので、作業員に過度の負担にならない。
前記巻き軸１５により内外の空気層形成フィルム３、４の巻き取る際には、その空気圧力を利用してハウスバンド７に締め付けられた外周側の空気層形成フィルム４を押し退けて、或いは逆止弁８の閉鎖状態を自ら解除し、ダブル型シート止め材５の連結部５０の複数の排気用孔５０ａ…を開放することで、同排気用孔５０ａ…から断熱空気層Ａ内の空気を一気に排気することができる。
つまり、本発明に係るフィルムハウスは、簡易構造のダブル型シート止め材５を用いることで、内外の空気層形成フィルム３、４の隙間を塞ぐ給気用チューブ９を不要とした構成なので、簡易で安価な構造とすることができる。
【図面の簡単な説明】
【００１３】
【図１】フィルムハウスの一例を示す斜視図である。
【図２】空気層空間へ空気を送り込む前の状態を示した主要部の側面図である。
【図３】空気層空間へ空気を送り込んで断熱空気層を形成した状態を示した主要部の側面図である。
【図４】断熱空気層内へ空気が過剰に送り込まれた状態を示した主要部の側面図である。
【図５】断熱空気層内の空気を排気させる状態を示した主要部の側面図である。
【図６】（Ａ）、（Ｂ）は、ダブル型シート止め材の実施形態をそれぞれ示した斜視図である。
【図７】フィルムハウスの内部に設置したカーテンシステムの一例を概念的に示した正面図である。
【図８】（Ａ）、（Ｂ）は、連結部の下面側から排気用孔を塞ぐ逆止弁を設けた構成を示した説明図である。
【図９】（Ａ）、（Ｂ）は、連結部の上面側から排気用孔を塞ぐ逆止弁を設けた構成を示した説明図である。
【図１０】従来のフィルムハウスを示した説明図である。
【発明を実施するための形態】
【００１４】
本発明のフィルムハウスは、ハウス骨組材１４の外周部を被覆する内周側及び外周側の空気層形成フィル３、４の両側縁部が上下方向に止着され、更に下方の自由端側が共通な巻き軸１５に巻き込まれて気密な空気層空間Ａを有する袋構造に形成されている。
ハウス骨組材１４に、横断面が蟻溝状をなす二つのシート止め溝５１、５２を連結部５０の両側に形成したダブル型シート止め材５が、棟方向に固定して設置されている。内周側の空気層形成フィルム３は、上方の固定端３ａが、ダブル型シート止め材５の下方側シート止め溝５１へ止着され、外周側の空気層形成フィルム４は、その上方部が下方側シート止め溝５１よりも連結部５０を隔てた上方側シート止め溝５２へ止着されている。ダブル型シート止め材５の連結部５０には、複数の排気用孔５０ａ…が設けられている。内周側又は外周側の空気層形成フィルム３又は４いずれかの部位に、外気を気密な袋構造の空気層空間Ａ内へ供給する電動ファン６が設置されている。更に、適度な緊張状態で設置されたハウスバンド７で外周側の空気層形成フィルム４が拘束され、外周側の空気層形成フィルム４で連結部５の排気用孔５０ａ…が上面側から塞がれている。
巻き軸１５を回転して内外の空気層形成フィルム３、４を展開する場合、又は展開した後に電動ファン６により給気を行って空気層空間Ａへ空気を吹き込み膨張させて断熱空気層Ａが形成される。
断熱空気層Ａに一定層厚を超過する過剰な空気が吹き込まれた際に、或いは巻き軸１５を逆に回転して内外の空気層形成フィルム３、４を巻き取る際には、空気圧力を利用して前記ハウスバンド７で拘束された外周側の空気層形成フィルム４を押し退けて、連結部５０の排気用孔５０ａ…を開放させ、同排気用孔５０ａ…から断熱空気層Ａ内の空気を排気させる構成である。
【実施例１】
【００１５】
次に、本発明を図示した実施例に基づいて説明する。
図１は、透光性の合成樹脂シートで成る内外二重の空気層形成フィルム３、４の下方部分を共通の巻き軸１５で巻き込んで換気用開口部１８を形成し、又は同換気用開口部１８を閉鎖する換気システムを備えたフィルムハウス１を示している。このフィルムハウス１のハウス骨組材を構成するアーチパイプ１４と、同アーチパイプ１４へ連結して棟方向へ配置し、図示省略の留め金具で固定されたシート止め材１１、１１並びに破風のシート止め材１２、妻面のシート止め材１３等々は、従来一般のフィルムハウス１に実施するフレーム資材とほぼ同様である。こうして構築したハウス外郭体の外周をフィルムで覆い、要所がシート止め材（１１〜１３）で止着され、更に伸縮性のあるハンスバンド７でフィルムを締め付けて安定化している。因みに、このハウスバンド７は、例えば端部に取り付けた取付具７０をシート止め材１１のシート止め溝内へ嵌め込んで設置される。
また、フィルムハウス１の換気用開口部１８を開閉するべく、巻き軸１５の巻き上げ又は巻き下ろし手段に用いる回転伝達装置１０も、例えば特開２００７−９２９７３号公報や特開２００５−２２１０７２号公報等に開示されて既に実用に供されている。符号１７は回転伝達装置１０のガイド支柱である。なお、前記巻き軸１５もハウスバンド７で締め付けている。
【００１６】
本発明に係るフィルムハウス１は、上記換気システムを、図１及び図２に示すように、内周側及び外周側の空気層形成フィルム３、４が、その両側縁部を上下方向に止着され、更に下方の自由端側が、正逆方向に回転される共通な巻き軸１５に巻き込まれて気密な空気層空間Ａを有する袋構造に形成されたカーテン２として構成している。前記空気層空間Ａへ電動ファン５により空気を吹き込み膨張させて断熱空気層Ａを形成することによりエアカーテン２が構成される。
前記内周側及び外周側の空気層形成フィルム３、４の自由端（下端部側）は、前記回転伝達装置１０の手動ハンドル１６を一方へ回転させると、巻き軸１５により内外の空気層形成フィルム３、４が自由端から巻き上げられて換気用開口部１８が形成される。前記手動ハンドル１６を逆方向へ回転させると巻き軸１５で内外の空気層形成フィルム３、４を巻き戻し、前記内外の空気層形成フィルム３、４は展張されて換気用開口部１８を閉じることができる。
【００１７】
前記フィルムハウス１は、図１及び図２に示すように、前記アーチパイプ１４の上方位置に、横断面が蟻溝状をなす二つのシート止め溝５１、５２を連結部５０の両側に形成したダブル型シート止め材５が、図示省略の留め金具で棟方向に固定して設置されている。
前記内周側の空気層形成フィルム２は、自由端から展張した先の固定端（上端部側）が、前記ダブル型シート止め材５の下方側のシート止め溝５１内にシート止め線５３で止着されている。そして、前記外周側の空気層形成フィルム４は、前記自由端から展張した先の上方部が、下方側シート止め溝５１よりも前記連結部５０を隔てた上方側シート止め溝５２内にシート止め線５３で止着されている。
なお、前記上方側シート止め溝５２内には、前記ハウスバンド７の取付具７０が、前記シート止め線５３の上に重ねて嵌め込まれている。
【００１８】
前記内外の空気層形成フィルム３、４を構成する合成樹脂シートは、耐用性に優れているポリオレフィン系シートやフッ素系シートを使用することが好ましい。また、内外の空気層形成フィルム３、４の厚みは、一例として０．０５〜０．０７５ｍｍ程度である。
【００１９】
前記ダブル型シート止め材５は、図２及び図６に示すように、横断面方向に見ると底壁の両側に立ち上がる両側壁を内方へ略ハの字形状に傾斜させて開口が狭幅に形成された蟻溝状の２本のシート止め溝５１、５２をほぼ平行に配置して連結部５０で一体成形されている。前記一方の側壁の上端は内向きに折り返したカール部に形成されており、両内側の側壁の上端部同士が連結部５０により連結されている。
前記ダブル型シート止め材５の各シート止め溝５１（５２）の開口部上にフィルム３（４）を拡げ、その上から台形波が交互の向きに連続する弾性な波形状なシート止め線材５３と共にシート止め溝５１（５２）の中へ押し入れて止着する。
因みに、前記ダブル型シート止め材５の材質は、金属製又は合成樹脂製である。また、同ダブル型シート止め材５の大きさは、一例として横幅７５ｍｍ、縦幅１３ｍｍ程度である。
【００２０】
前記ダブル型シート止め材５の連結部５０には、図６に示すように、長手方向に複数の排気用孔５０ａが一定の間隔をあけて設けられており、該排気用孔５０ａは、図２及び図３に示すように、ハウスバンド７の張力で締め付けられた外周側の空気層形成フィルム４によって同連結部５０の上面側から塞がれている。
前記排気用孔５０ａは、図６（Ａ）に示すように、直径８ｍｍ程度の丸孔をフィルムハウス１の長手方向に１ｍ〜１．５ｍ程度の間隔をあけて設けられている。一定層厚の断熱空気層Ａを確保しつつ、過剰な空気を前記排気用孔５０ａから効果的に排出させることができ、それでいて内外の空気層形成フィルム３、４を巻き上げる際において素早く効率良く空気を排気できる間隔、大きさとしている。
図６（Ｂ）に示すダブル型シート止め材５は、前記排気用孔５０ａの異なる実施形態を示している。この排気用孔５０ａは、横幅７．５ｍｍ程度、縦幅１５ｍｍ程度の長円形状であり、フィルムハウス１の長手方向に１．５ｍ程度の間隔をあけて設けられている。
なお、前記連結部５０の排気用孔５０ａは、図６（Ａ）、（Ｂ）に示した形状、大きさ、間隔に限定されない。例えば四角孔や三角孔、或いは多角形孔等の形状であっても良い。要するに、フィルムハウス１の大きさ等に応じて、適宜、孔径の大きさや間隔、形状を変更して設けるものとする。
【００２１】
前記フィルムハウス１の室内側から空気を吹き込む小型軽量の電動ファン６は、図２〜図５に示すように、内周側の空気層形成フィルム３の上部へ直接取り付けて設置され、空気吹き出し口が前記内周側の空気層形成フィルム３に向かって直接開口されている。
前記電動ファン６の具体的な構成および取り付け構造の詳細に関しては、上記特許文献１に開示されて詳しいが、一例として出力７Ｗ程度のものである。この電動ファン６は、フィルムハウス１の長手方向に１個ないし複数個を設置する。
なお、図示することは省略したが、前記電動ファン６は、外周側の空気層形成フィルム４へ直接取り付けた構成で実施することもできる。
【００２２】
次に、上記空気層空間Ａへ空気を給・排気させる手順を説明する。
先ず、前記空気層空間Ａへ空気を送り込み断熱空気層Ａを形成する手順であるが、図２に示すように、回転伝達装置１０のハンドル１６（図１を参照）を回転させることにより巻き軸１５を巻き戻して内外の空気層形成フィルム３、４を展開する際（途中）、又は展開した際（展開後）に、前記電動ファン６をスイッチオンして給気を行い空気層空間Ａを膨らませる。前記排気用孔５０ａ…は、図３に示すように、ハウスバンド７の張力で締め付けられた外周側の空気層形成フィルム４によって、連結部５０の上面側から塞がれているので、空気層空間Ａに吹き込まれた空気が、同空気層空間Ａの外部へ漏れる虞がなく、断熱空気層Ａを形成し、エアカーテン２を構成することができる。
【００２３】
前記断熱空気層Ａへ過剰に吹き込まれた空気は、図４に示すように、空気圧の高まりに応じてハウスバンド７で締め付けた外周側の空気層形成フィルム４を押し退け、前記連結部５０の排気用孔５０ａを開放して、同排気用孔５０ａから排気される。過剰に吹き込まれた空気が排気用孔５０ａから排気された後は、図３に示すように、ハウスバンド７で締め付けた外周側の空気層形成フィルム４によって前記排気用孔５０ａが再び塞がれる。つまり、電動ファン５で断熱空気層Ａへ空気を吹き込み（電動ファンを回し放し）膨張させるかぎり、一定層厚の断熱空気層Ａが形成され、一定層厚を超過する過剰な空気は排気用孔５０ａから排気することで、空気圧を一定値以下に自己保持することができ、優れた断熱効果を期待できる。
【００２４】
次に、空気層形成フィルム１から空気を抜く排気手順としては、先ず、スイッチをオフにして電動ファン６を停止させる。そして、図５に示すように、前記巻き軸１５を逆に回転して内外の空気層形成フィルム３、４を巻き取る際に、その空気圧力を利用してハウスバンド７で締め付けた外周側の空気層形成フィルム４を押し退けて、前記連結部５０の排気用孔５０ａを開放させ、同排気用孔５０ａから断熱空気層Ａ内の空気を一気に大量に排気させる。よって、上記回転伝達装置１０のハンドル１６を回転させて巻き軸１５で内外の空気層形成フィルム３、４を巻き取る際に、同巻き軸１５による内外の空気層形成フィルム３、４の巻き取り速度（空気層形成フィルム３、４の絞り効果）に負けない早さで断熱空気層Ａ内の空気を一気に排出できる。
【００２５】
なお、本発明に係るフィルムハウス１は、図７に共通する構成要素に共通の符号をつけて実施例を概念的に示したように、主に断熱、保温効果を目的としてフィルムハウス１内部の天井部分や側面部に沿ってフィルムを上下方向のカーテン状に展張し又は同フィルムを収納するカーテンシステム２’においても、同カーテンシステム２’のフィルムを、上述した気密な袋構造で断熱・保温の効果の高い空気層形成フィルム３、４として、上記回転伝達装置１０で回転する巻き軸１５でカーテンを巻き上げて収納し、又は巻き下ろして展張する場合の空気給・排気システムとしても全く同様に実施することができる。
【００２６】
したがって、従来のように排気口を開閉操作する必要は一切無く、しかも脆弱なハウスフレームの高所にも格別に高価な設備費用を要することなく設置して実施でき、上記の換気システムやカーテンシステムに空気層形成フィルムを採用して、優れた断熱保温の効果を期待できる。
しかも、簡易構造のダブル型シート止め材５を用いることで、内外の空気層形成フィルム３、４の隙間を塞ぐ給気用チューブ９を不要とした構成なので、簡易で安価な構造である。
【実施例２】
【００２７】
図８に示す実施例２のフィルムハウスは、上述した実施例１のフィルムハウス１において、ダブル型シート止め材５の連結部５０に、同連結部５０の下面側から排気用孔５０ａを塞ぐ逆止弁８を設けた構成を示している。
【００２８】
具体的には、既に上記実施例１で説明した通り、内周側及び外周側の空気層形成フィルム３、４の自由端は巻き軸１５に巻き込まれ、前記内周側の空気層形成フィルム３は前記自由端から展張した先の固定端３ａが、前記ダブル型シート止め材５の下方側シート止め溝５１内にシート止め線５３で止着され、外周側の空気層形成フィルム４は前記自由端から展張した先の上方部が前記連結部５０を隔てた上方側シート止め溝５２内にシート止め線５３で止着されている（図２を参照）。
【００２９】
前記連結部５０には、長手方向に複数の排気用孔５０ａ…が一定の間隔をあけて設けられており（図６を参照）、該排気用孔５０ａ…が、図８（Ａ）に示すように、ハウスバンド７の張力で締め付けられた外周側の空気層形成フィルム４によって前記連結部５０の上面側から塞がれている。更に、前記連結部５０には、排気用孔５０ａ…を同連結部５０の下面側から塞ぐ逆止弁８が設けられている。
図８に示す逆止弁８は、前記排気用孔５０ａを塞ぐ板状の弁体８０と、同弁体８０を回動可能に支持するヒンジ機構８１と、前記弁体８０を常時閉じる方向に作用するねじりコイルバネとで、スイング式とした構成である。つまり、前記弁体８０は、ヒンジ機構８１を支点とし、空気圧の高まりに応じて、ドアのように回転動作を行い、排気用孔５０ａ…を開放させ、その後バネ作用により再び弁体８０で前記排気用孔５０ａを塞ぐ仕組みである。
なお、前記逆止弁８は、図示した実施形態に限定されず、種々の形態で実施することもできる。
【００３０】
前記空気層空間Ａへ空気を給気して断熱空気層Ａを形成するには、回転伝達装置１０のハンドル１６（図１を参照）を回転させることにより巻き軸１５を巻き戻して内外の空気層形成フィルム３、４を展開する際（途中）、又は展開した際（展開後）に、前記電動ファン６をスイッチオンして給気を行い空気層空間Ａを膨らませる。前記排気用孔５０ａ…は、図８（Ａ）に示したように、ハウスバンド７で締め付けた外周側の空気層形成フィルム４と、前記逆止弁８によって完全に塞がれた状態なので、空気層空間Ａに吹き込まれた空気が、同空気層空間Ａの外部へ漏れる虞がなく、確実に断熱空気層Ａを形成でき、エアカーテン２を構成することができる。
前記断熱空気層Ａへ過剰に吹き込まれた空気は、図８（Ｂ）に示したように、空気圧の高まりに応じて、ハウスバンド７で締め付けた外周側の空気層形成フィルム４を押し退け、更に逆止弁８の閉鎖状態を自ら解除し、前記連結部５０の排気用孔５０ａ…を開放して排気する。過剰に吹き込まれた空気が排気用孔５０ａから排気された後は、ハウスバンド７で締め付けた外周側の空気層形成フィルム４及び逆止弁８によって前記排気用孔５０ａが再び塞がれる。つまり、電動ファン５で断熱空気層Ａへ空気を吹き込み（電動ファンを回し放し）膨張させるかぎり、一定層厚の断熱空気層Ａが形成され、一定層厚を超過する過剰な空気は排気用孔５０ａから排気して、空気圧を一定値以下に自己保持することができ、優れた断熱効果を期待できる。
【００３１】
次に、断熱空気層Ａ内の空気を排気するには、電動ファン６のスイッチをオフにして同電動ファン６を停止させた後、前記巻き軸１５を逆に回転して内外の空気層形成フィルムを巻き取る際に、図８（Ｂ）に示したように、その空気圧力を利用してハウスバンド７で締め付けた外周側の空気層形成フィルム４を押し退け、更に逆止弁８の閉鎖状態を自ら解除し、連結部５０の排気用孔５０ａ…を開放させて、同排気用孔５０ａ…から断熱空気層Ａ内の空気を一気に大量に排気させる。よって、上記回転伝達装置１０のハンドル１６を回転させて巻き軸１５で内外の空気層形成フィルム３、４を巻き取る際に、同巻き軸１５による内外の空気層形成フィルム３、４の巻き取り速度（空気層形成フィルム３、４の絞り効果）に負けない早さで断熱空気層Ａ内の空気を一気に排出できる。
【実施例３】
【００３２】
実施例３のフィルムハウス１は、ダブル型シート止め材５の連結部５０の排気用孔５０ａ…を逆止弁８のみで塞ぐことを特徴とし、上記実施例１及び実施例２で説明した、ハウスバンド７の張力で締め付けられた外周側の空気層形成フィルム４では、前記排気用孔５０…を塞がない構成である。
【００３３】
具体的には、既に上記実施例１で説明した通り、内周側及び外周側の空気層形成フィルム３、４の自由端は巻き軸１５に巻き込まれ、前記内周側の空気層形成フィルム３は前記自由端から展張した先の固定端３ａが、前記ダブル型シート止め材５の下方側シート止め溝５１内にシート止め線５３で止着され、外周側の空気層形成フィルム４は前記自由端から展張した先の上方部が前記連結部５０を隔てた上方側シート止め溝５２内にシート止め線５３で止着されている（図２を参照）。
【００３４】
前記連結部５０には、長手方向に複数の排気用孔５０ａ…が一定の間隔をあけて設けられており（図６を参照）、該排気用孔５０ａ…は、前記連結部５０に設けられた排気用孔５０ａ…を塞ぐ逆止弁８によって、下面側から塞がれている（例えば図８Ａを参照）。
前記逆止弁８の具体的な構成は、上記段落番号［００２９］で説明した通りである。
【００３５】
前記空気層空間Ａへ空気を給気して断熱空気層Ａを形成するには、回転伝達装置１０のハンドル１６（図１を参照）を回転させることにより巻き軸１５を巻き戻して内外の空気層形成フィルム３、４を展開する際（途中）、又は展開した際（展開後）に、前記電動ファン６をスイッチオンして給気を行い空気層空間Ａを膨らませる。前記排気用孔５０ａ…は、前記逆止弁８によって完全に塞がれた状態なので、空気層空間Ａに吹き込まれた空気が、同空気層空間Ａの外部へ漏れる虞がなく、確実に断熱空気層Ａを形成でき、エアカーテン２を構成することができる（例えば図８Ａを参照）。
前記断熱空気層Ａへ過剰に吹き込まれた空気は、空気圧の高まりに応じて、逆止弁８の閉鎖状態を自ら解除し、前記連結部５０の排気用孔５０ａ…を開放して排気する（例えば図８Ｂを参照）。過剰に吹き込まれた空気が排気用孔５０ａから排気された後は、前記逆止弁８によって前記排気用孔５０ａが再び塞がれる。つまり、電動ファン５で断熱空気層Ａへ空気を吹き込み（電動ファンを回し放し）膨張させるかぎり、一定層厚の断熱空気層Ａが形成され、一定層厚を超過する過剰な空気は排気用孔５０ａから排気して、空気圧を一定値以下に自己保持することができ、優れた断熱効果を期待できる。
【００３６】
次に、断熱空気層Ａ内の空気を排気するには、電動ファン６のスイッチをオフにして同電動ファン６を停止させた後、前記巻き軸１５を逆に回転して内外の空気層形成フィルムを巻き取る際に、その空気圧力を利用して逆止弁８の閉鎖状態を自ら解除し、連結部５０の排気用孔５０ａ…を開放させて、同排気用孔５０ａ…から断熱空気層Ａ内の空気を一気に大量に排気させる（例えば図８Ｂを参照）。よって、上記回転伝達装置１０のハンドル１６を回転させて巻き軸１５で内外の空気層形成フィルム３、４を巻き取る際に、同巻き軸１５による内外の空気層形成フィルム３、４の巻き取り速度（空気層形成フィルム３、４の絞り効果）に負けない早さで断熱空気層Ａ内の空気を一気に排出できる。
【００３７】
なお、前記逆止弁８は、図９（Ａ）に示したように、連結部５０の上面側から排気用孔５０ａを塞ぐ構成で実施することもできる。具体的には、前記弁体８０の上面が、外周側の空気層形成フィルム４に固着されており、図９（Ｂ）に示したように、断熱熱空気層Ａへ空気が過剰に吹き込まれた際、或いは前記巻き軸１５を逆に回転して内外の空気層形成フィルム３、４を巻き取る際に、空気圧力を利用して、ハウスバンド７で締め付けた外周側の空気層形成フィルム４を押し退けることにより、逆止弁８の閉鎖状態を自ら解除し、前記連結部５０の排気用孔５０ａ…を開放して排気する構成である。
【００３８】
以上に本発明を図示した実施例に基づいて説明したが、もとより本発明は実施例の構成に限定されるものではない。いわゆる当業者が必要に応じて行うであろう設計変更その他の応用、改変の範囲まで含むことを念のため申し添える。
【符号の説明】
【００３９】
１          フィルムハウス
３          内周側の空気層形成フィルム
３ａ        固定端
４          外周側の空気層形成フィルム
５          ダブル型シート止め材
５０        連結部
５０ａ      排気用孔
５１、５２  シート止め溝
６          電動ファン
７          ハウスバンド
８          逆止弁
１４        アーチパイプ（ハウス骨組材）
１５        巻き軸
Ａ          空気層空間（断熱空気層）
【図１】
2016171751.tif 000003
【図２】
2016171751.tif 000004
【図３】
2016171751.tif 000005
【図４】
2016171751.tif 000006
【図５】
2016171751.tif 000007
【図６】
2016171751.tif 000008
【図７】
2016171751.tif 000009
【図８】
2016171751.tif 000010
【図９】
2016171751.tif 000011
【図１０】
2016171751.tif 000012